(57)【要約】　　　（修正有）【課題】物事の目的や目標が明確になることにより確実にしかも効率的に行動でき、しかも、約束すべき事項を確認することが容易にできるノートを提供する。【解決手段】左方に日付記載欄２ｃが設けてある見出し記載欄２ｄを有するとともに下部にはページ番号記載欄２ｏがある議事録、メモ等を記載する記載欄２ａと、上部に日付記載欄及び実践ノートと記載した要点記載欄とを設け、記載欄と要点記載欄間に仕切線を設けたことを特徴とする実践ノートの構成及び会議が行われた場合の会議の内容及び会議の内容を図式で表すためにお客名記載欄を中心に配置し、前記お客様記載欄の外側に放射状に対応策記載欄を配置するとともに、前記お客名記載欄と前記各対応策記載欄とを関連線で接続した記載欄と、前記記載欄に記載された記載内容の要点を記載する要点記載欄とからなる用紙を綴じたことを特徴とする実践ノートの構成とした。【選択図】　図３
2004058567.tif 000002
【特許請求の範囲】
【請求項１】
左方に日付記載欄が設けてある見出し記載欄を有するとともに下部にはページ番号記載欄がある議事録、メモ等を記載する記載欄と、上部に日付記載欄及び実践ノートと記載した要点記載欄とを設け、記載欄と要点記載欄間に仕切線を設けた用紙を綴じたことを特徴とする実践ノート。
【請求項２】
会議が行われた場合の会議の内容及び会議の内容を図式で表すためにお客名記載欄を中心に配置し、前記お客様記載欄の外側に放射状に対応策記載欄を配置するとともに、前記お客名記載欄と前記各対応策記載欄とを関連線で接続した記載欄と、前記記載欄に記載された記載内容の要点を記載する要点記載欄とからなる用紙を綴じたことを特徴とする実践ノート。
【発明の詳細な説明】
【０００１】
【発明が属する技術分野】
本発明は、営業会議、講義の内容等の要点を記載しておくためのノートの改良に関する発明である。
【０００２】
【従来の技術】
従来のノートは、図７に示すように、必要な事項を記載する用紙４ａ、４ａには、左上方には日付記載欄４ｂ、４ｂが設けられているとともに、右上方にはページ数を記載できるページ記載欄４ｃ、４ｃが設けてある。
【０００３】
そして、ノートに記載した日付を記載する日付記載欄４ｂ、４ｂ及びページ数を記載できるページ記載欄４ｃの下方にはメモを記載し易くするために多数の横罫線４ｄ、４ｄ、４ｄ・・・・が平行に設けてあり、この横罫線４ｄと横罫線４ｄ間に聞いた要点を記載することができる。
【０００４】
【発明が解決しようとする課題】
しかしながら、従来のノート４では、例えば、営業会議の場で会議で提案、議論等がされた要点をノート４の用紙４ａ、４ａ、４ａ・・・・にメモ書きするのであるが、会議の要点をノート４の用紙４ａ、４ａにメモ書きするのみで、メモ書きした事項を忘れて仕舞い、実行出来ないとの問題点がある。
【０００５】
また、ノート４を構成する数枚の用紙４ａ、４ａ、４ａ・・・・連続して会議の要点等を記載したのであるが、数枚の用紙に会議の要点を記載したために、何枚目に記載したかを忘れ、何ページに記載してあるかを探すのに時間が掛かってしまうとの問題点がある。
【０００６】
そこで、本発明である実践ノートを使用して記載すると物事の目的や目標が明確になることにより確実にしかも効率的に行動でき、しかも、約束すべき事項を本発明である実践ノートに記載しておけば、記載した約束事を確認することが容易にできるので約束事を必ず守ることができるとともに、学生等にとっては自分の学習目的を達成することが容易となるので、勉強することが嫌にならずに勉学に意欲的となる実践ノートを提供することを目的とするものである。
【０００７】
【課題を解決するための手段】
本発明である実践ノートは、上記の課題を解決するために、左方に日付記載欄が設けてある見出し記載欄を有するとともに下部にはページ番号記載欄がある議事録、メモ等を記載する記載欄と、上部に日付記載欄及び実践ノートと記載した要点記載欄とを設け、記載欄と要点記載欄間に仕切線を設けたことを特徴とする実践ノートの構成及び会議が行われた場合の会議の内容及び会議の内容を図式で表すためにお客名記載欄を中心に配置し、前記お客様記載欄の外側に放射状に対応策記載欄を配置するとともに、前記お客名記載欄と前記各対応策記載欄とを関連線で接続した記載欄と、前記記載欄に記載された記載内容の要点を記載する要点記載欄とからなる用紙を綴じたことを特徴とする実践ノートの構成とした。
【０００８】
【実施例】
以下に、添付図面に基づき本発明である実践ノートについて詳細に説明する。図１は本発明である実践ノートの正面図、図２は本発明である実践ノートの斜視図である。
【０００９】
図１に示すように、本発明である実践ノート１は、表紙１ａの表面１ｂの上部に「実践ノート」と印刷されている。左端部１ｃにより綴じられている。そして、図２に示すように、本発明である実践ノート１には、用紙２、２、２・・・３、３、３・・・が左端部１ｃで綴じられている。勿論、綴じる位置は、右端部でもよい。
【００１０】
図３は、本発明である実践ノートの用紙を示した図である。図３に示すように、本発明である実践ノート１に綴じられている用紙２は、左方に日付記載欄２ｃが設けてある見出し記載欄２ｄを有するとともに下部にはページ番号記載欄２ｏがある議事録、メモ等を記載する記載欄２ａと、上部に日付記載欄２ｅ及び実践ノート２ｆと記載した要点記載欄２ｂとからなる。
【００１１】
記載欄２ａ及び要点記載欄２ｂには、横方向に多数の横罫線２ｐ、２ｐ、２ｐ・・・・が設けてある。また、記載欄２ａと要点記載欄２ｂ間には、縦方向に仕切線２ｑが設けてある。
【００１２】
前記仕切線２ｑは、記載欄２ａの要点記載欄２ｂ寄りに設けられている。用紙２の全体面積の四分の一が要点記載欄２ｂの面積となり、四分の三の面積が記載欄２ａの面積となるように仕切線２ｑを設ける。仕切線２ｑは、要点記載欄２ｂ全体が切り取りすることができるように、ミシン線としても良い。
【００１３】
用紙２の左端部には、綴じるための綴じ穴２ｒ、２ｒが上下２個所に、紐により綴じることができるように穿設されている。勿論、このような綴じ穴２ｒ、２ｒは穿設しなくてもよい。
【００１４】
要点記載欄２ｂには、前述のように、上部には日付記載欄２ｅがあり、その日付記載欄２ｅの下方には、「ここがポイント」との見出しが書かれているポイント見出し２ｇがあり、その下に記載欄２ａに記載した内容のポイントを記載できるポイント記載欄２ｈが設けてある。
【００１５】
前記ポイント記載欄２ｈの下方には、「実行することは？」と記載した実行見出し２ｉがあり、実行見出し２ｉの下方には実行すべきことを記載しておくための実行記載欄２ｊがある。
【００１６】
前記実行記載欄２ｊの下方には、「ここがポイント」との見出しが書かれているポイント見出し２ｋがあり、その下方に記載欄２ａに記載した内容のポイントを記載できるポイント記載欄２ｌが設けてある。
【００１７】
前記ポイント記載欄２ｌの下方には、「実行することは？」と記載した実行見出し２ｍがあり、実行見出し２ｍの下方には実行すべきことを記載しておくための実行記載欄２ｎがある。
【００１８】
記載欄２ａと要点記載欄２ｂとの関係は、例えば、会議中に話し合われた事項を出来るだけ多くの情報を記載する欄が記載欄２ａであり、会議が終了後に記載欄２ａに記載した会議内容のポイント、実行しなければならないこと等を要点記載欄２ｂに記載しておく。
【００１９】
図４は、本発明である実践ノートの用紙に会社の幹部会議の際に記載した状態を示した図である。図４に示すように、本発明である実践ノート１を幹部会議が「開催された日付」を日付記載欄２ｃに記入し、見出し記載欄２ｄには「幹部会議」であることを記載する。
【００２０】
記載欄２ａには、幹部会議での会議内容である「６月度の状況と対策」が議論され、「休眠顧客が増えてきている」との議論がされた。この場合には、要点記載欄２ｂのポイント記載欄２ｈには「なぜ休眠顧客になったのか？」、「店長がチェックしない」等と記載する。また、実行記載欄２ｊには、実行すべきことを記入する。
【００２１】
また、記載欄２ａには、「対策」を記載した場合には、対策の内容を記録した時には、ポイント記載欄２ｌには取るべきことを記載する。そして、実行見出し２ｍの実行記載欄２ｎには実行すべきことを記載する。
【００２２】
図５及び図６は、本発明である実践ノートに綴じられる用紙の他の実施例を示した図である。以下に、用紙の他の実施例について図５及び図６に基づいて説明する。図５は本発明である実践ノートの用紙の他の実施例を示した図、図６は本発明である実践ノートの用紙の他の実施例に記載し使用した状態を示した図である。
【００２３】
図５及び図６に示した本発明である実践ノートの用紙の他の実施例は、図３及び図４に示した用紙２の背面に作成しても良い。符号３ｄ、３ｅは、本例の用紙３を綴じるための綴じ穴である。また、符号３ｃも同様に綴じ穴である。綴じ穴３ｃは、画鋲やリングで留めることもできる。
【００２４】
図５に示すように、用紙３には、会議が行われた場合の会議の内容及び会議の内容を図式で表すためにお客名記載欄３ｉを中心に配置し、前記お客名記載欄３ｉの外側に放射状に対応策記載欄３ｇ、３ｈ、３ｊ、３ｋを配置するとともに、前記お客名記載欄３ｉと前記各対応策記載欄３ｇ、３ｈ、３ｊ、３ｋとを関連線３ｌ、３ｍ、３ｎ、３ｏで接続した記載欄３ａと、前記記載欄３ａに記載された記載内容の要点を記載する要点記載欄３ｂからなる。
【００２５】
図６に示すように、例えば、会議の議題が、「休眠顧客が何故増えるのか、そして、その対策はどのようにすべきか」であるとした場合に、先ず、本例の用紙３の記載欄３ａに設けてある対応策記載枠３ｆのお客名記載欄３ｉに商品を購入されたお客を「お買いあげのお客様」の氏名等を記載する。
【００２６】
その後、各対応策記載欄３ｇ、３ｈ、３ｊ、３ｋに、「お買いあげのお客様」を観察する。即ち、「お買いあげのお客様」との会話内容、「お買いあげのお客様」へのなすべき行動、例えば、電話をすること、「お買いあげのお客様」の髪型、持っているバッグ等及び「お買いあげのお客様」の興味等を観察する。
【００２７】
そして、各対応策記載欄３ｇ、３ｈ、３ｊ、３ｋに記載した、記載内容によりどのような対応をとる必要があるかの結論を結論記載欄３ｒに記入する。また、要点記載欄３ｂには、記載欄３ａに記載した内容の要点を記載し、「何時までにどのような方法の行動をとるべきか」を記載する。
【００２８】
用紙３の前記記載欄３ａと前記要点記載欄３ｂ間には、縦方向の仕切線３ｐが設けられている。この仕切線３ｐは、記載欄３ａから要点記載欄３ｂを切り離しできるようにミシン線としてもよい。ミシン線から切り離すことで、要点記載欄３ｂをバック、財布等に入れて常に携帯することができるので、チェックがしやすくなる。記載欄３ａ及び要点記載欄３ｂには、横罫線は存在せずに白紙である。また、用紙３の左端３ｑは、取り外しができるように軽くのり付けされている。
【００２９】
【発明の効果】
本発明である実践ノートは以上に説明した構成であるから、第１に、営業目標が達成し易くなる。即ち、物事の目的や目標が明確になることにより、確実にしかも効率的に行動できる。その結果、成果が出るとともに、利用者は満足感を得て、自発的に物事に取り組む意欲がわくようになる。
【００３０】
第２に、営業会議等で約束すべき事項を本発明である実践ノートに記載しておけば、記載した約束事を確認することが容易にできるので、約束事を必ず守ることができるようになる。
【００３１】
第３に、学生が本発明である実践ノートを使用することにより、学生は自分の学習目的を達成することが容易となるので、勉強することが嫌にならずに勉学に意欲的となる。
【図面の簡単な説明】
【図１】本発明である実践ノートの正面図である。
【図２】本発明である実践ノートの斜視図である。
【図３】本発明である実践ノートの用紙を示した図である。
【図４】本発明である実践ノートの用紙に実際に記載し使用した状態を示した図である。
【図５】本発明である実践ノートの用紙の他の実施例を示した図である。
【図６】本発明である実践ノートの用紙の他の実施例に記載し使用した状態を示した図である。
【図７】従来のノートの見開き状態を示した図である。
【符号の説明】
１　　　実践ノート
１ａ　　表紙
１ｂ　　　表面
１ｃ　　左端部
２　　　用紙
２ａ　　記載欄
２ｂ　　要点記載欄
２ｃ　　日付記載欄
２ｄ　　見出し記載欄
２ｅ　　日付記載欄
２ｆ　　実践ノート
２ｇ　　ポイント見出し
２ｈ　　ポイント記載欄
２ｉ　　実行見出し
２ｊ　　実行記載欄
２ｋ　　ポイント見出し
２ｌ　　ポイント記載欄
２ｍ　　実行見出し
２ｎ　　実行記載欄
２ｏ　　ページ番号記載欄
２ｐ　　横罫線
２ｑ　　仕切線
２ｒ　　綴じ穴
２ｓ　　ページ番号記載欄
３　　　用紙
３ａ　　記載欄
３ｂ　　要点記載欄
３ｃ　　綴じ穴
３ｄ　　綴じ穴
３ｅ　　綴じ穴
３ｆ　　対応策記載枠
３ｇ　　対応策記載欄
３ｈ　　対応策記載欄
３ｉ　　　　お客名記載欄
３ｊ　　　　対応策記載欄
３ｋ　　　　対応策記載欄
３ｌ　　関連線
３ｍ　　　　関連線
３ｎ　　　　関連線
３ｏ　　　　関連線
３ｐ　　仕切線
３ｑ　　左端
３ｒ　　結論記載欄
４　　　従来のノート
４ａ　　用紙
４ｂ　　　　日付記載欄
４ｃ　　　　ページ数記載欄
４ｄ　　　　横罫線
【図１】
2004058567.tif 000003
【図２】
2004058567.tif 000004
【図３】
2004058567.tif 000005
【図４】
2004058567.tif 000006
【図５】
2004058567.tif 000007
【図６】
2004058567.tif 000008
【図７】
2004058567.tif 000009